(57)【要約】【課題】多層構造のＯＳＤメニュを表示する際に、最下層の表示領域をその上位層に対し極力広く確保すると同時に、その上位層に表示するべき項目の文字をその上位層に割当てられた表示領域の範囲内で適切に表示する。【解決手段】記憶部１３は、複数のメニュ項目の表示として選択される所定の文字として、第１の表示パターンとそれよりサイズが小さい文字の第２の表示パターンとを記憶する。中央制御部９は、所定のメニュ項目に表示するべき文字の全てを第１の表示パターンから選択して配列した際に、メニュ項目表示可能領域を超えた状態であると判断した時は、所定のメニュ項目に表示するべき文字のうち少なくとも一部を第２の表示パターンから選択して、表示部７のメニュ項目表示可能領域内に配列表示するように制御する。【選択図】図１
2005244285.tif 000002
【特許請求の範囲】
【請求項１】
複数のメニュ項目を複数の階層にわけて表示が可能なメニュ表示方法であって、
前記複数のメニュ項目の表示として選択される所定の文字として、第１の表示パターンと該第１の表示パターンよりサイズが小さい文字で構成される第２の表示パターンとのいずれかが選択可能であり、
前記メニュ項目を表示するための操作によって表示するべき所定のメニュ項目が表示され、
同じ階層におけるメニュ項目を表示するために割当てられたメニュ項目表示可能領域は全て均等な大きさであって、
前記メニュ項目に表示するべき文字の全てを前記第１の表示パターンから選択して配列した際に、メニュ項目表示可能領域を超えた状態であると判断した時は、前記メニュ項目に表示するべき文字のうち少なくとも一部を前記第２の表示パターンから選択して配列表示するように制御したことを特徴とするメニュ表示方法。
【請求項２】
前記メニュ項目に表示するべき文字のうち少なくとも一部を第２の表示パターンから選択して配列表示したメニュ項目は、最下位の階層以外の階層に含まれた項目であることを特徴とする請求項１に記載のメニュ表示方法。
【請求項３】
前記複数の階層は、少なくとも第１の階層とその下位層の第２の階層から構成され、
前記第１の階層と前記第２の階層とは同時に画面上に表示され、
前記メニュ項目に表示するべき文字のうち少なくとも一部を第２の表示パターンから選択して配列表示したメニュ項目は、前記第１の階層に含まれることを特徴とする請求項１に記載のメニュ表示方法。
【請求項４】
前記選択される文字の表示パターンは、一定サイズのブロック単位で管理されており、
前記第１の表示パターンは、１つのブロックに対し１文字で構成され、
前記第２の表示パターンは、複数のブロックに対し前記複数のブロックのブロック数とは異なる文字数で構成されたことを特徴とする請求項１乃至３のいずれか１に記載のメニュ表示方法。
【請求項５】
前記第１の表示パターンは全角表示であって、
前記第２の表示パターンは半角表示で構成されたことを特徴とする請求項１乃至４のいずれか１に記載のメニュ表示方法。
【請求項６】
映像情報を表示し、複数のメニュ項目を複数の階層にわけてメニュ表示が可能な映像表示装置であって、
前記複数のメニュ項目の表示として選択される所定の文字として、第１の表示パターンと該第１の表示パターンよりサイズが小さい文字で構成される第２の表示パターンとを有する記憶部と、
前記メニュ項目を表示するための操作を行うための操作手段と、
前記操作手段の操作によって表示するべき所定のメニュ項目を表示するための表示部と、
同じ階層におけるメニュ項目を表示するために割当てられたメニュ項目表示可能領域が全て均等な大きさになるように制御するための制御部とを有し、
前記制御部は、前記所定のメニュ項目に表示するべき文字の全てを第１の表示パターンから選択して配列した際にメニュ項目表示可能領域を超えた状態であると判断した時は、前記所定のメニュ項目に表示するべき文字のうち少なくとも一部を前記第２の表示パターンから選択して前記表示部の前記メニュ項目表示可能領域内に配列表示するように制御することを特徴とする映像表示装置。
【請求項７】
前記メニュ項目に表示するべき文字のうち少なくとも一部を第２の表示パターンから選択して配列表示したメニュ項目は、最下位の階層以外の階層に含まれた項目であることを特徴とする請求項６に記載の映像表示装置。
【請求項８】
前記複数の階層は、少なくとも第１の階層とその下位層の第２の階層から構成され、
前記第１の階層と前記第２の階層とは同時に画面上に表示され、
前記メニュ項目に表示するべき文字のうち少なくとも一部を第２の表示パターンから選択して配列表示したメニュ項目は、前記第１の階層に含まれることを特徴とする請求項６に記載の映像表示装置。
【請求項９】
前記記憶部において記憶されている文字の表示パターンは、一定サイズのブロック単位で管理されており、
前記第１の表示パターンは、１つのブロックに対し１文字で構成され、
前記第２の表示パターンは、複数のブロックに対し前記複数のブロックのブロック数とは異なる文字数で構成されたことを特徴とする請求項６乃至８のいずれか１に記載の映像表示装置。
【請求項１０】
前記第１の表示パターンは全角表示であって、
前記第２の表示パターンは半角表示で構成されたことを特徴とする請求項６乃至９のいずれか１に記載の映像表示装置。
【請求項１１】
放送信号を受信して画面上に映像情報として表示し、複数のメニュ項目を複数の階層にわけてメニュ表示が可能なテレビジョン装置であって、
前記複数のメニュ項目の表示として選択される所定の文字として、第１の表示パターンと該第１の表示パターンよりサイズが小さい文字で構成される第２の表示パターンとを有する記憶部と、
前記メニュ項目を表示するための操作を行うための操作手段が、遠隔操作部及び受光部との構成で可能になる遠隔操作手段と、
前記操作手段によって表示するべき所定のメニュ項目を前記映像情報に重ねた状態で表示するための表示部と、
同じ階層におけるメニュ項目の画面表示をするために割当てられたメニュ項目表示可能領域が全て均等な大きさになるように制御するための制御部とを有し、
前記制御部は、前記所定のメニュ項目に表示するべき文字の全てを前記第１の表示パターンから選択して配列した際にメニュ項目表示可能領域を超えた状態であると判断した時は、前記所定のメニュ項目に表示するべき文字のうち少なくとも一部を前記第２の表示パターンから選択して前記表示部の前記メニュ項目表示可能領域内に配列表示するように制御することを特徴とするテレビジョン装置。
【請求項１２】
前記メニュ項目に表示するべき文字のうち少なくとも一部を第２の表示パターンから選択して配列表示したメニュ項目は、最下位の階層以外の階層に含まれた項目であることを特徴とする請求項１１に記載のテレビジョン装置。
【請求項１３】
前記複数の階層は、少なくとも第１の階層とその下位層の第２の階層から構成され、
前記第１の階層と前記第２の階層とは同時に画面上に表示され、
前記メニュ項目に表示するべき文字のうち少なくとも一部を第２の表示パターンから選択して配列表示したメニュ項目は、前記第１の階層に含まれることを特徴とする請求項１１に記載のテレビジョン装置。
【請求項１４】
前記記憶部において記憶されている文字の表示パターンは、一定サイズのブロック単位で管理されており、
前記第１の表示パターンは、１つのブロックに対し１文字で構成され、
前記第２の表示パターンは、複数のブロックに対し前記複数のブロックのブロック数より多い文字数で構成されたことを特徴とする請求項１１乃至１３のいずれか１に記載のテレビジョン装置。
【請求項１５】
前記第１の表示パターンは全角表示であって、
前記第２の表示パターンは半角表示で構成されたことを特徴とする請求項１１乃至１４のいずれか１に記載のテレビジョン装置。
【発明の詳細な説明】
【技術分野】
【０００１】
本発明は、多階層構造によるＯＳＤメニュ表示を行うメニュ表示方法、及びＯＳＤメニュ表示機能を有する映像表示装置及びテレビジョン装置に関する。
【背景技術】
【０００２】
例えば、特許文献１では、画面上にメインメニュ項目一覧と、これらの項目の内１つを選択したときにその項目に関連付けされたサブメニュ項目一覧をメインメニュ項目の右隣に表示して、多階層の多項目表示を行っている。これにより、多項目にわたるメニュ項目を整理しながら表示することができる。
【０００３】
一方で、近年のオン・スクリーン・ディスプレイ（以下ＯＳＤ）表示技術においては、調整項目数が多岐又は多数にわたることから、その表示形式は複数項目で構成される階層の多層化構造とカーソルとで構成されており、各階層ごとに複数の表示項目を表記可能とし、このうちの一項目にカーソルを位置させて選択することによって、更にその下位層の項目表示を行う形式が採用されていることが一般的である。
【特許文献１】特開平５−２０７３４３号公報
【発明の開示】
【発明が解決しようとする課題】
【０００４】
上記のような多階層構造を有したメニュ表示形態において、ある階層の項目を複数個同時に表示する際に、その視覚上の均整具合等を考慮して同一階層内の全項目の表示領域を全て均等に確保することが考えられるが、各項目間の文字数の違いが著しい場合は、隣り合う項目間のスペースが項目ごとに異なる場合が考えられ、その表示形式がユーザーにとってバランスの悪い表示であると不快感を与えかねない。
【０００５】
また、上記メニュ項目の表示形式においては、上位層のメニュの一項目を選択することによって下位層の項目が同時表示されるので、上位層及び下位層の両方の階層を表示する必要がある。すると、下位層の表示可能領域は、制御操作のための表示を行う必要上、単なる表示のための上位層の表示領域に対し例えばその表示領域が優先的に確保されるように表示されることが多い。従って、上位層の表示領域を一定領域に制限せざるをえず、このとき、上位層の表示領域を限りなく広く確保することは難しいという問題を有する。
【０００６】
さらには、例えばテレビジョン装置の設定値の変更操作において、画面上で結果を参照しながら操作を行うことができないと、その結果がユーザーの望むものでは無かった場合に再度メニュ項目選択操作を最初から（例えばメニュキーの押下操作等）行う手間が発生するので、操作性の面で課題がのこる。
【０００７】
本発明は上述のごとき実情に鑑みてなされたものであり、多層構造のＯＳＤメニュを表示する際に、最下層の表示領域をその上位層に対し極力広く確保すると同時に、その上位層に表示するべき項目の文字をその上位層に割当てられた表示領域の範囲内で適切に表示することができるようにした、メニュ表示方法、映像表示装置及びテレビジョン装置を提供することを目的とするものである。
【課題を解決するための手段】
【０００８】
第１の技術手段は、複数のメニュ項目を複数の階層にわけて表示が可能なメニュ表示方法であって、複数のメニュ項目の表示として選択される所定の文字として、第１の表示パターンと第１の表示パターンよりサイズが小さい文字で構成される第２の表示パターンとのいずれかが選択可能であり、メニュ項目を表示するための操作によって表示するべき所定のメニュ項目が表示され、同じ階層におけるメニュ項目を表示するために割当てられたメニュ項目表示可能領域は全て均等な大きさであって、メニュ項目に表示するべき文字の全てを第１の表示パターンから選択して配列した際に、メニュ項目表示可能領域を超えた状態であると判断した時は、メニュ項目に表示するべき文字のうち少なくとも一部を第２の表示パターンから選択して配列表示するように制御したことを特徴としたものである。
【０００９】
第２の技術手段は、第１の技術手段において、メニュ項目に表示するべき文字のうち少なくとも一部を第２の表示パターンから選択して配列表示したメニュ項目が、最下位の階層以外の階層に含まれた項目であることを特徴としたものである。
【００１０】
第３の技術手段は、第１の技術手段において、上記複数の階層が、少なくとも第１の階層とその下位層の第２の階層から構成され、第１の階層と第２の階層とは同時に画面上に表示され、メニュ項目に表示するべき文字のうち少なくとも一部を第２の表示パターンから選択して配列表示したメニュ項目は、第１の階層に含まれることを特徴としたものである。
【００１１】
第４の技術手段は、第１乃至第３のいずれか１の技術手段において、選択される文字の表示パターンが、一定サイズのブロック単位で管理されており、第１の表示パターンは、１つのブロックに対し１文字で構成され、第２の表示パターンは、複数のブロックに対し複数のブロックのブロック数とは異なる文字数で構成されたことを特徴としたものである。
【００１２】
第５の技術手段は、第１乃至第４のいずれか１の技術手段において、第１の表示パターンが全角表示であって、第２の表示パターンは半角表示で構成されたことを特徴としたものである。
【００１３】
第６の技術手段は、映像情報を表示し、複数のメニュ項目を複数の階層にわけてメニュ表示が可能な映像表示装置であって、複数のメニュ項目の表示として選択される所定の文字として、第１の表示パターンと該第１の表示パターンよりサイズが小さい文字で構成される第２の表示パターンとを有する記憶部と、メニュ項目を表示するための操作を行うための操作手段と、操作手段の操作によって表示するべき所定のメニュ項目を表示するための表示部と、同じ階層におけるメニュ項目を表示するために割当てられたメニュ項目表示可能領域が全て均等な大きさになるように制御するための制御部とを有し、制御部は、所定のメニュ項目に表示するべき文字の全てを第１の表示パターンから選択して配列した際にメニュ項目表示可能領域を超えた状態であると判断した時は、所定のメニュ項目に表示するべき文字のうち少なくとも一部を第２の表示パターンから選択して表示部のメニュ項目表示可能領域内に配列表示するように制御することを特徴としたものである。
【００１４】
第７の技術手段は、第６の技術手段において、メニュ項目に表示するべき文字のうち少なくとも一部を第２の表示パターンから選択して配列表示したメニュ項目が、最下位の階層以外の階層に含まれた項目であることを特徴としたものである。
【００１５】
第８の技術手段は、第６の技術手段において、上記複数の階層が、少なくとも第１の階層とその下位層の第２の階層から構成され、第１の階層と第２の階層とは同時に画面上に表示され、メニュ項目に表示するべき文字のうち少なくとも一部を第２の表示パターンから選択して配列表示したメニュ項目は、第１の階層に含まれることを特徴としたものである。
【００１６】
第９の技術手段は、第６乃至第８のいずれか１の技術手段において、記憶部において記憶されている文字の表示パターンが、一定サイズのブロック単位で管理されており、第１の表示パターンは、１つのブロックに対し１文字で構成され、第２の表示パターンは、複数のブロックに対し複数のブロックのブロック数とは異なる文字数で構成されたことを特徴としたものである。
【００１７】
第１０の技術手段は、第６乃至第９のいずれか１の技術手段において、第１の表示パターンが全角表示であって、第２の表示パターンは半角表示で構成されたことを特徴としたものである。
【００１８】
第１１の技術手段は、放送信号を受信して画面上に映像情報として表示し、複数のメニュ項目を複数の階層にわけてメニュ表示が可能なテレビジョン装置であって、複数のメニュ項目の表示として選択される所定の文字として、第１の表示パターンと第１の表示パターンよりサイズが小さい文字で構成される第２の表示パターンとを有する記憶部と、メニュ項目を表示するための操作を行うための操作手段が、遠隔操作部及び受光部との構成で可能になる遠隔操作手段と、操作手段によって表示するべき所定のメニュ項目を映像情報に重ねた状態で表示するための表示部と、同じ階層におけるメニュ項目の画面表示をするために割当てられたメニュ項目表示可能領域が全て均等な大きさになるように制御するための制御部とを有し、制御部は、所定のメニュ項目に表示するべき文字の全てを第１の表示パターンから選択して配列した際にメニュ項目表示可能領域を超えた状態であると判断した時は、所定のメニュ項目に表示するべき文字のうち少なくとも一部を第２の表示パターンから選択して表示部の前記メニュ項目表示可能領域内に配列表示するように制御することを特徴としたものである。
【００１９】
第１２の技術手段は、第１１の技術手段において、メニュ項目に表示するべき文字のうち少なくとも一部を第２の表示パターンから選択して配列表示したメニュ項目が、最下位の階層以外の階層に含まれた項目であることを特徴としたものである。
【００２０】
第１３の技術手段は、第１１の技術手段において、上記複数の階層が、少なくとも第１の階層とその下位層の第２の階層から構成され、第１の階層と前記第２の階層とは同時に画面上に表示され、メニュ項目に表示するべき文字のうち少なくとも一部を第２の表示パターンから選択して配列表示したメニュ項目は、第１の階層に含まれることを特徴としたものである。
【００２１】
第１４の技術手段は、第１１乃至第１３のいずれか１の技術手段において、記憶部において記憶されている文字の表示パターンが、一定サイズのブロック単位で管理されており、第１の表示パターンは、１つのブロックに対し１文字で構成され、第２の表示パターンは、複数のブロックに対し複数のブロックのブロック数より多い文字数で構成されたことを特徴としたものである。
【００２２】
第１５の技術手段は、第１１乃至第１４のいずれか１の技術手段において、第１の表示パターンが全角表示であって、第２の表示パターンは半角表示で構成されたことを特徴としたものである。
【発明の効果】
【００２３】
本発明によれば、多層構造のメニュ表示を行うに際し、最下層の表示領域をその上位層に対し極力広く確保すると同時に、その上位層に表示するべき項目の文字をその上位層に割当てられた表示領域の範囲内で適切に表示することが可能になる。つまり上位層における全てのメニュ項目の表示可能領域に応じたサイズの文字を適切に選択し、映像データと最下層の表示領域とを極力邪魔することなく表示することができるようになる。
【００２４】
また本発明では、あるメニュ項目の表示するべき文字数が他のメニュ項目に対し多い場合でも、割当てられたメニュ項目表示領域に対して適切な表示形式の文字を選択可能としたので、映像データを邪魔することを極力抑えることができる。
【００２５】
また本発明は、予め割当てられたメニュ項目表示領域の表示サイズ及び表示位置が一定なので操作上の紛らわしさが起こりにくく、また、たとえ表示言語がユーザーの理解できない言語であったとしてもユーザーの経験的記憶能力をたよりに操作時のメニュ項目表示領域の位置を理解することができ観念的にその操作過程を理解することも可能となる。
【００２６】
また本発明によれば、ＯＳＤの表示形式が多層化構造を有しており、上位層と下位層を同時に表示する場合でも、一方の階層が他方の階層の表示領域に対し邪魔すること無く、また上位層又は下位層に表示するべき項目の文字を適当な表示領域に収納表示することが可能である。
【００２７】
また本発明によれば、同一階層内の各項目間で、その文字数が極端に異なる場合でも、字数が多い項目の方の文字サイズを適当な表示領域内に収納することが可能となるので、この階層の下の階層の表示領域に対し邪魔することなく、この階層の全項目を割当てられた表示領域内で画面上に表示することが可能な映像表示装置を提供することができる。
【００２８】
また本発明によれば、同一階層内の各項目間で、その文字数が極端に異なる場合でも、字数が多い項目の方の文字サイズを適当な表示領域内に収納することが可能となるので、この階層の下の階層の表示領域を邪魔することなく、かつ設定変更された画面表示状態等の結果をユーザーが画面上で認識しながら遠隔操作手段によって一定距離先から操作することができるテレビジョン装置を提供することができる。
【発明を実施するための最良の形態】
【００２９】
以下、本発明の実施の形態を図面に基づいて詳細に説明する。
図１は、本発明に係る画像表示装置の実施形態の構成を示すブロック図であり、図２は、図１に示す画像表示装置におけるＯＳＤ表示の使用言語を選択するための画面表示状態の一例を示す図であり、図３は、図１に示す画像表示装置の記憶部に記憶された文字表示パターンの実施例を示す図である。
【００３０】
本実施の形態は、図１を参照すると、テレビジョン放送信号を受信するアンテナ１を通して受信されたテレビジョン放送信号を映像検波し、映像信号および音声信号を出力する受信部２と、放送信号以外に外部から所定の映像音声情報を入力するための外部入力端子や外部メモリ用スロットなどで構成される外部情報入力部３を有する。そして、この放送信号と外部から入力された映像音声情報とのいずれかを表示等するために選択するための切替部４によって、表示あるいは音声出力するべき映像信号及び／又は音声信号の選択がなされ、映像信号は映像処理部５へ伝達され、音声信号は音声処理部６で伝達される。
【００３１】
そして、映像処理部５で信号処理された映像情報は表示部７（例えばＣＲＴ装置やプラズマ表示装置、液晶表示装置、有機／無機ＥＬ装置といった表示素子）に表示され、音声処理部６で信号処理された音声情報は、スピーカー等の音声出力手段８に出力される。
【００３２】
こうした映像信号あるいは音声信号の処理に際しては、ユーザーの設定値制御によって中央制御部９において所定の制御処理がなされる（例えばＣＨ切替、入力切替、音量調整等）。またこのような制御処理をユーザーが操作するための操作手段としては、例えばボタン操作が可能な操作部１０や、リモコンなどの遠隔操作部１２とこのキー操作によって発する所定の無線制御信号を受光する受光部１１から成り立つ無線操作手段が用いられる。そして、これらの操作手段によって設定された各種設定値は記憶部１３において記憶されることにより、映像又は音声情報の出力状態を保持することができる。
【００３３】
また、これらの映像信号あるいは音声信号に対しユーザーが設定値制御を行う際は、操作部１０やリモコンなどにあるキー（例えばメニュキー等）の入力操作によって制御信号が発せられることで、記憶部１３等に記憶されたＯＳＤメニュ項目を表示するための各種文字あるいは記号のパターンを中央制御部９（マイコン）が呼び出し、その結果、画面上に表示された映像情報が部分的に上書きされた状態あるいは半透明上に視聴できる状態で表示される。これにより、ユーザーが画面上の映像情報を見ることにより変更された設定値の結果を認識しながら操作することができる。
【００３４】
次に本発明にかかる画像表示装置におけるＯＳＤ表示の使用言語を選択するための画面表示状態の例を通して、この画像表示装置の多言語仕様に応じた表示が実現可能であることを示す１例を説明する。
【００３５】
図２の画面を表示するために、本実施形態では、例えば遠隔操作部１２のメニュ表示を呼び出すためのメニュキー（図示せず）と、表示されたメニュ項目から所定の項目をカーソルの上下左右等への方向移動によって選択できる方向指示キー（図示せず）と、選択された項目を選択決定するための決定キー又は確定キー（図示せず）とを用いて表示選択が可能となる。つまり、例えばメニュキーの押下操作により記憶部１３から呼び出された文字情報によって所定のメニュ項目群が抽出表示され、この項目のうち『Ｓｅｔｕｐ  Ｌａｎｇｕａｇｅ』という項目に方向指示キーによってカーソル移動を行い、この項目にカーソルが配置された状態でこの項目を選択するために決定キーあるいは確定キーを押下操作することによってメニュ項目表示の際に使用するべき言語（図中では英語、ドイツ語、フランス語、スペイン語等）が選択され、表示するべき言語でメニュ項目群が表示される。
【００３６】
図３は、本発明に係る画像表示装置における記憶部１３に記憶された文字の表示パターンの一実施例を示している。記憶部１３ではそのアドレス管理が一定角サイズのブロック単位で管理されており、画面上に表示するべき文字を表示するときは、マイコン（中央制御部９）やキャラクタジェネレータからの指示によってこれらの文字のアドレスをブロック単位で呼び出す。そして本発明の特徴としては、例えば図３の上側に示すように、１ブロックあたり１文字で構成された表示パターンと、加えて図３の下側に示すように、複数ブロック数当り複数文字数（例えば、１ブロックあたり２文字以上であり、このブロック数と文字数は同数ではない）で構成された表示パターンとが設定される。また、キャラクタジェネレータの仕様によっては、このように呼び出された各ブロックにおける背景色や文字色をソフトウェア上の設定値切替制御等に適宜設定することが可能である。
【００３７】
このような構成からなる表示パターンを記憶した記憶部１３を有することによって、ＯＳＤの表示画面上に表示するべき文字数が、同義である他の言語の文字数や同じ言語である複数のメニュ項目群が、例えばサブメニュ表示形式で並列表示されている他の項目の文字数と比べて極端に多い時に、その極端に文字数の多い項目を極力短い表示領域内で表示することが可能となる。
【００３８】
本発明に係るメニュ表示方法、映像表示装置及びテレビジョン装置における、ＯＳＤ表示形式の一実施形態について図４に示す。
【００３９】
メニュ画面として表示している内容は主に以下の４つである。
（１）メニュ画面を表示していることを示す表記（画面左上の『Ｍｅｎｕ』）。
（２）メニュ画面で選択した最上位層の項目名（画面上側『［Ｃａｒｄ  Ｓｔｉｌｌ  ｓｅｔｕｐ］』）。
（３）最上位層で選択されたメニュ項目の１つ下の階層（第二層）の各種項目表示（画面左側）。
（４）第二層のメニュ項目のうち１項目の内容に関連付けされた設定値変更可能な階層（第三層）の表示（画面右側）。
【００４０】
そして、これらの内容はその文字が表示されうる表示可能領域ごとにパーティション１４，１５，１６が設定されており、各表示可能領域の背景色あるいは文字色は、前述の例えばソフトウェア上の設定値切替制御等の手法を用いることによって、それぞれで異なるように設定されている。このような構成によって階層のパーティション分けを明確にした状態で表示することができるので、ユーザーにとって操作した結果移動するカーソル位置がどの階層に移動したのかを明確に認識することが可能となる。
【００４１】
そして、左側に表示された第二層（パーティション１５）の項目の内、現在選択された項目（ここでは、「Slide show」１７ａ）を他の項目と視覚上異なって認識できるようにカーソルを位置させて表示し、この選択された項目に関する設定変更を視覚上認識できるようにするための表示を第三層の表示として、第二層の右側に表示する（パーティション１６）。そしてこの第三層の表示に関する表示可能領域は、その上位層である第二層の表示に関する表示可能領域に対してその表示面積を広く確保している。
【００４２】
そしてこのメニュ画面は、放送信号を受信するチューナーや外部入力端子から伝送され画面上に表示された映像情報に対し、優先的にその表示がなされる。ここでいう『優先的』とは、このメニュ画面が映像情報に対し画面全体に渡って完全に上書きあるいは上塗りされる状態ではなく、このメニュ画面が画面全体の一部を上書きするように表示されたり、あるいは映像情報に対し半透明状態で重ねて表示されるような映像処理を行って表示する。
【００４３】
そして本発明の主な特徴としては、図４のＯＳＤパターン表示の一例に示されているように、例えば各項目に均一ブロック数（ここでは例えば１２ブロック）を割当てた項目表示領域において、最上段の項目『Ｓｌｉｄｅ  ｓｈｏｗ  Ｓｔａｒｔ』１７ａという項目の文字数は単語間のスペースを含めて１６文字であり、１２ブロック内に表示させるためには、少なくとも全１６文字のうち数文字は文字を詰めて表示する必要がある。そこで、この項目『Ｓｌｉｄｅ  ｓｈｏｗ  Ｓｔａｒｔ』の文字のうち、例えば『Ｓｌｉｄｅ  Ｓｈｏｗ』の部分（全１０文字）が５ブロック内で構成される表示パターンを記憶部１３に予め設けておき、割当てられたブロック数以上の文字数で表示する必要がある場合は、このような表示パターンをマイコン等のキャラクタジェネレータから呼び出して、画面上に表示させるように制御する。
【図面の簡単な説明】
【００４４】
【図１】本発明に係る画像表示装置の実施形態の構成を示すブロック図である。
【図２】図１に示す画像表示装置におけるＯＳＤ表示の使用言語を選択するための画面表示状態の一例を示す図である。
【図３】図１に示す画像表示装置の記憶部に記憶された文字表示パターンの実施例を示す図である。
【図４】本発明に係るメニュ表示方法、映像表示装置及びテレビジョン装置における、ＯＳＤ表示形式の一実施形態について示す図である。
【符号の説明】
【００４５】
１…アンテナ、２…受信部、３…外部情報入力部、４…切替部、５…映像処理部、６…音声処理部、７…表示部、８…音声出力手段、９…中央制御部、１０…操作部、１１…受光部、１２…遠隔操作部、１３…記憶部、１４，１５，１６…パーティション。
【図１】
2005244285.tif 000003
【図２】
2005244285.tif 000004
【図３】
2005244285.tif 000005
【図４】
2005244285.tif 000006